(57)【要約】【課題】有底筒状の被洗浄物から異物を良好に除去することができ、かつ被洗浄物への異物の再付着を防止する。【解決手段】洗浄装置は、有底筒状の被洗浄物（缶１１）を収容可能な洗浄槽２１と、洗浄槽２１内の洗浄液に超音波振動を加える超音波振動手段（超音波発振器２３）と、洗浄槽２１内に洗浄液の噴流を噴入可能なノズル２４と、洗浄槽２１内の洗浄液を洗浄槽２１からオーバーフローさせるオーバーフロー手段とを備えている。ノズル２４はオーバーフロー手段を構成する。【選択図】図１
2016036785.tif 000002
【特許請求の範囲】
【請求項１】
有底筒状の被洗浄物を収容可能な洗浄槽と、
前記洗浄槽内の洗浄液に超音波振動を加える超音波振動手段と、
前記洗浄槽内に洗浄液の噴流を噴入可能なノズルと、
前記洗浄槽内の前記洗浄液を前記洗浄槽からオーバーフローさせるオーバーフロー手段と
を備えたことを特徴とする洗浄装置。
【請求項２】
前記洗浄槽は前記被洗浄物全体を前記洗浄液中に浸漬可能に構成され、前記ノズルは、前記洗浄液中に浸漬された前記被洗浄物の開口部に向かって前記洗浄液を噴入可能に設けられている請求項１に記載の洗浄装置。
【請求項３】
前記超音波振動手段は、前記洗浄槽内に収容された前記被洗浄物の開口部に向かって振動波を発生可能な位置に設けられている請求項１又は請求項２に記載の洗浄装置。
【発明の詳細な説明】
【技術分野】
【０００１】
本発明は、洗浄装置に係り、詳しくは有底筒状の被洗浄物の洗浄に好適な洗浄装置に関する。
【背景技術】
【０００２】
一般的な超音波洗浄装置では、洗浄水を充填した洗浄槽中に被洗浄物を収容した状態で洗浄水に超音波振動を加えて被洗浄物の洗浄を行う。被洗浄物が電池のケース等の有底部品（中空容器）の場合は、洗浄水に被洗浄物を沈めたときに、開口部を上にしないと、有底部品の内側に気泡が残る。
【０００３】
超音波洗浄装置では、超音波発信部を洗浄槽の底部や側部に設置するため、開口部を上にすると、有底部品の内部の洗浄水は超音波振動を受け難い。また、気泡が残ると、その部分は洗浄されない。
【０００４】
従来、中空被洗浄物の空気溜まりによる洗浄不能部分をなくす超音波洗浄装置が提案されている（特許文献１参照）。特許文献１の装置は、洗浄水槽の内部に、中空被洗浄物を収容する洗浄かごを、水平回転支軸によって回転自在に支持し、超音波洗浄の際に洗浄かごを回転させる。そのため、洗浄かご内に収容された中空被洗浄物は、始めに開口が下向きや横向きで洗浄かご内に収容されても、洗浄カゴの回転により開口が上向きになったときに、空気溜まりの空気が抜けて、空気溜まりによる洗浄不能箇所が無くなる。
【先行技術文献】
【特許文献】
【０００５】
【特許文献１】特開平６−４７３６０号公報
【発明の概要】
【発明が解決しようとする課題】
【０００６】
ところが、被洗浄物から洗浄で異物を除去するには、超音波振動で、被洗浄物の表面から異物を浮かせるだけでは不十分である。なぜならば、中空被洗浄物の内側で浮いた状態になった異物を被洗浄物の外に排出しなければ、再付着が生じるリスクが高まる。また、被洗浄物から剥がれた異物が洗浄液面に浮遊していると、洗浄中又は洗浄後の被洗浄物の取り出し時に異物が被洗浄物に再付着する。
【０００７】
本発明は、前記の問題に鑑みてなされたものであって、その目的は、有底筒状の被洗浄物から異物を良好に除去することができ、かつ被洗浄物への異物の再付着を防止することができる洗浄装置を提供することにある。
【課題を解決するための手段】
【０００８】
上記課題を解決する洗浄装置は、有底筒状の被洗浄物を収容可能な洗浄槽と、前記洗浄槽内の洗浄液に超音波振動を加える超音波振動手段と、前記洗浄槽内に洗浄液の噴流を噴入可能なノズルと、前記洗浄槽内の前記洗浄液を前記洗浄槽からオーバーフローさせるオーバーフロー手段とを備えた。
【０００９】
この構成によれば、有底筒状の被洗浄物は、洗浄槽の洗浄液中に沈んだ状態で超音波振動を受け、被洗浄物に付着していた異物が被洗浄物の表面から剥離する。被洗浄物の内側に付着していた異物は、超音波振動の作用によって被洗浄物の表面から剥離しても、被洗浄物の外に積極的に排出されなければ、被洗浄物の表面に再付着する。しかし、この発明では、ノズルが洗浄槽内に洗浄液の噴流を噴入するため、洗浄槽内の洗浄液の一部が被洗浄物の内側へも入り易くなり、被洗浄物の内側に存在する洗浄液が強制的に入れ替えられる。そして、洗浄液が入れ替えられることで、被洗浄物の内側の表面から剥離した異物が被洗浄物の外に積極的に排出される。洗浄槽内の洗浄液は、オーバーフロー手段によってオーバーフローする状態にあるため、被洗浄物から剥離された異物は、オーバーフローする洗浄液とともに洗浄槽の外に排出される。したがって、有底筒状の被洗浄物から異物を良好に除去することができ、かつ被洗浄物への異物の再付着を防止することができる。
【００１０】
前記洗浄槽は前記被洗浄物全体を前記洗浄液中に浸漬可能に構成され、前記ノズルは、前記洗浄液中に浸漬された被洗浄物の開口部に向かって前記洗浄液を噴入可能に設けられていることが好ましい。この構成では、被洗浄物の開口部に向かって洗浄液が噴入されるため、被洗浄物の内側に存在する洗浄液の強制的な入れ替えが効率良く行われ、被洗浄物の内側で被洗浄物の表面から剥離した異物が円滑に被洗浄物の外に排出される。また、超音波振動で異物を被洗浄物から剥離できなくても、被洗浄物に対する付着力が弱まった状態の異物を、噴入された洗浄液が剥離させる効果も期待できる。
【００１１】
前記超音波振動手段は、前記洗浄槽内に収容された前記被洗浄物の開口部に向かって振動波を発生可能な位置に設けられていることが好ましい。この構成によれば、超音波振動手段により振動された洗浄液の振動が、開口部を経て被洗浄物の内側に効率良く伝達され、異物の剥離効果が高まる。
【発明の効果】
【００１２】
本発明によれば、有底筒状の被洗浄物から異物を良好に除去することができ、かつ被洗浄物への異物の再付着を防止することができる。
【図面の簡単な説明】
【００１３】
【図１】（ａ）は洗浄装置の模式側面図、（ｂ）は模式平面図。
【図２】（ａ）は洗浄槽を無端ベルトとノズルとの中間位置で無端ベルトの幅方向と直交する切断面で切断した一部省略断面図、（ｂ）は洗浄槽及び回収槽を無端ベルトの幅方向と平行な切断面で切断した模式断面図。
【図３】ノズルと被洗浄物との関係を示す模式斜視図。
【図４】別の実施形態の超音波洗浄部の模式断面図。
【図５】別の実施形態の超音波洗浄部の模式断面図。
【図６】別の実施形態の超音波洗浄部の模式断面図。
【発明を実施するための形態】
【００１４】
以下、本発明を電池等の蓄電装置の缶（ケース）の洗浄装置に具体化した一実施形態を図１〜図３にしたがって説明する。
図１（ａ），（ｂ）に示すように、洗浄装置は、超音波洗浄ゾーンＺ１と、すすぎゾーンＺ２と、乾燥ゾーンＺ３とを備えており、かつ被洗浄物としての缶１１を各ゾーンへ移送するベルトコンベア１２を備えている。ベルトコンベア１２は、駆動ローラ１３と、被動ローラ１４と、ガイドローラ１５との間に巻き掛けられた無端ベルト１６を備えている。無端ベルト１６は、図３に示すように、目の粗いメッシュベルトで構成されている。なお、図１（ｂ）においては目の図示を省略している。
【００１５】
図１（ａ），（ｂ）及び図２（ａ），（ｂ）に示すように、超音波洗浄ゾーンＺ１は、洗浄槽２１と、洗浄槽２１内の洗浄液２２に超音波振動を加える超音波振動手段としての超音波発振器２３とを備えている。無端ベルト１６は、超音波洗浄ゾーンＺ１から乾燥ゾーンＺ３に向かって移動する際、洗浄槽２１と対応する以外の位置では洗浄槽２１より高い位置を移動し、洗浄槽２１と対応する位置では、その移動経路が洗浄槽２１内を通過するようになっている。洗浄槽２１は缶１１全体を洗浄液２２中に浸漬可能に構成されている。
【００１６】
超音波発振器２３は、無端ベルト１６の移動方向と平行に設けられた洗浄槽２１の一対の側壁の一方の内面に固定され、超音波振動を洗浄槽２１内の洗浄液２２に無端ベルト１６の移動方向と直交する方向に直接伝達するようになっている。缶１１は、開口部１１ａ（図３に図示）が超音波発振器２３と対向する側に位置する状態で無端ベルト１６上に載置されて搬送されるようになっている。即ち、超音波発振器２３は、洗浄槽２１内に収容された缶１１（被洗浄物）の開口部１１ａに向かって振動波を発生可能な位置に設けられている。
【００１７】
図１（ｂ）及び図２（ｂ）に示すように、洗浄槽２１は、無端ベルト１６の幅方向の長さが無端ベルト１６の幅より長く形成され、洗浄槽２１内には、無端ベルト１６の走行位置と超音波発振器２３との間に、洗浄槽２１内に洗浄液２２の噴流を噴入可能なノズル２４が設けられている。ノズル２４は、洗浄液２２中に浸漬された缶１１の開口部１１ａに向かって洗浄液２２を噴入可能に設けられている。この実施形態においては、ノズル２４は複数設けられ、各ノズル２４は缶１１の開口部１１ａの幅方向の寸法内に複数配置可能な大きさに形成され、無端ベルト１６の移動方向に沿って配置されている。
【００１８】
図２（ｂ）に示すように、洗浄槽２１に隣接して回収槽２５が設けられ、回収槽２５は洗浄槽２１からオーバーフローした洗浄液２２を回収する。洗浄槽２１の側壁のうち、超音波発振器２３が設けられた側壁２１ａと反対側の側壁２１ｂは、その高さが他の側壁より低く、かつ洗浄槽２１内を移動する缶１１の上面より若干高く形成されている。そして、ノズル２４からの洗浄槽２１への洗浄液２２の噴入に伴い、洗浄槽２１内の洗浄液２２の一部が側壁２１ｂの上端からオーバーフローするようになっている。回収槽２５は側壁２１ｂの上端からオーバーフローする洗浄液２２を回収するようになっている。この実施形態では、ノズル２４は、洗浄槽２１内の洗浄液２２を洗浄槽２１からオーバーフローさせるオーバーフロー手段を構成する。
【００１９】
回収槽２５には配管２６を介して循環ポンプ２７が接続されており、回収槽２５内の洗浄液２２が循環ポンプ２７により配管２６を経てノズル２４に供給されるようになっている。循環ポンプ２７の入口側の配管２６にはフィルタ２８が設けられている。
【００２０】
すすぎゾーンＺ２は、超音波洗浄ゾーンＺ１を通過した缶１１のすすぎ洗浄を行うため、多数の噴流ノズル３１，３２，３３を備えている。噴流ノズル３１は、無端ベルト１６と共に移動する缶１１の開口側に設けられ、洗浄液２２を水平方向へ噴出する。噴流ノズル３２は、無端ベルト１６の上方から洗浄液２２を下方へ噴出する。噴流ノズル３３は、無端ベルト１６の下方から洗浄液２２を上方へ噴出する。
【００２１】
噴流ノズル３１，３２，３３は、それぞれ複数の噴流ノズル３１，３２，３３のうち少なくとも無端ベルト１６と共に移動する缶１１の移動方向下流側に配置されている噴流ノズル３１，３２，３３は、最終洗浄のための清浄な洗浄液を噴出する。例えば、最終洗浄のための清浄な洗浄液を噴出する噴流ノズル３１，３２，３３以外の噴流ノズル３１，３２，３３は、噴出された洗浄液を回収し、フィルタでろ過した洗浄液を循環使用し、最終洗浄のための清浄な洗浄液は、回収されても最終洗浄のためには再使用せず、上流側の噴流ノズル３１，３２，３３の洗浄液とともに再使用する。
【００２２】
乾燥ゾーンＺ３は、すすぎゾーンＺ２を通過した缶１１の乾燥行うゾーンである。乾燥ゾーンＺ３には、無端ベルト１６と共に移動する缶１１の開口部１１ａに向かって温風を噴出する温風乾燥機３６と、缶１１の上方から温風を噴出する温風乾燥機３７とが設けられている。温風乾燥機３６は無端ベルト１６の幅方向と直交する方向に延びる状態で設けられ、温風乾燥機３７は無端ベルト１６の幅方向と平行に延びる状態で設けられている。
【００２３】
次に前記のように構成された洗浄装置の作用を説明する。
図１（ａ），（ｂ）に示すように、被洗浄物としての缶１１は、超音波洗浄ゾーンＺ１の上流側において無端ベルト１６上に載置される。無端ベルト１６上に載置された缶１１は、無端ベルト１６の移動に伴って先ず超音波洗浄ゾーンＺ１へ搬送され、超音波洗浄ゾーンＺ１で超音波洗浄を受ける。缶１１は、開口部１１ａが超音波発振器２３と対向する状態で移動し、超音波発振器２３から洗浄液２２に加えられた超音波振動により、缶１１の表面、即ち外周面及び内周面に付着していた異物（例えば、油等）が剥離除去される。
【００２４】
缶１１の内周面から剥離除去された異物は、缶１１の外に積極的に排出されなければ、缶１１の表面（内周面）に再付着する。缶１１の内周面から剥離除去された異物が自力で缶１１の外に出ることは難しい。しかし、ノズル２４から洗浄槽２１内に洗浄液２２の噴流が噴入されるため、その噴流によって洗浄槽２１内に洗浄液２２の流れが生じ、缶１１の内周面から剥離除去された異物が缶１１内から外に出易くなる。
【００２５】
また、ノズル２４は単に洗浄槽２１内に洗浄液２２の噴流を噴入させるのではなく、図３に示すように、無端ベルト１６と共に移動する缶１１の開口部１１ａに向かって洗浄液２２を噴出することにより、洗浄液２２の噴流を缶１１の開口部１１ａに向かって噴入する。そのため、洗浄槽２１内の洗浄液２２の一部が缶１１の内側に入り易くなり、缶１１の内側に存在する洗浄液２２が強制的に入れ替えられ、洗浄液２２が入れ替えられることによって、缶１１の内側の表面から剥離した異物が缶１１の外に排出される。
【００２６】
洗浄槽２１内の洗浄液２２は、洗浄槽２１内に新たに洗浄液２２が加えられるとオーバーフローする状態にあるため、缶１１から剥離された異物は、オーバーフローする洗浄液２２とともに洗浄槽２１の外に排出される。したがって、有底筒状の缶１１から異物を良好に除去することができ、かつ缶１１への異物の再付着が防止される。
【００２７】
この実施形態では、オーバーフローした洗浄液２２は、回収槽２５に回収され、循環ポンプ２７により配管２６を介してノズル２４に供給されて再使用される。なお、回収槽２５内の洗浄液２２は、循環ポンプ２７に吸い込まれる前に、フィルタ２８により異物が除去される。
【００２８】
すすぎゾーンＺ２は、超音波洗浄ゾーンＺ１で洗浄された後の缶１１を静水中ですすぐのではなく、噴流ノズル３１，３２，３３から噴出する洗浄水の噴流を掛け流してすすぐ。掛け流しの噴流は缶１１の開口部１１ａから缶１１内にも噴入されるため、一度剥離された異物が再付着した状態で乾燥ゾーンＺ３へ移動することが防止される。
【００２９】
この実施形態によれば、以下に示す効果を得ることができる。
（１）洗浄装置は、有底筒状の被洗浄物（缶１１）を収容可能な洗浄槽２１と、洗浄槽２１内の洗浄液２２に超音波振動を加える超音波振動手段（超音波発振器２３）と、洗浄槽２１内に洗浄液２２の噴流を噴入可能なノズル２４と、洗浄槽２１内の洗浄液２２を洗浄槽２１からオーバーフローさせるオーバーフロー手段とを備えた。したがって、有底筒状の被洗浄物（缶１１）から異物を良好に除去することができ、かつ被洗浄物への異物の再付着を防止することができる。
【００３０】
（２）洗浄槽２１は被洗浄物（缶１１）全体を洗浄液２２中に浸漬可能に構成され、ノズル２４は、洗浄液２２中に浸漬された被洗浄物の開口部１１ａに向かって洗浄液２２を噴入可能に設けられている。この構成では、被洗浄物の開口部１１ａに向かって洗浄液２２が噴入されるため、被洗浄物の内側に存在する洗浄液２２の強制的な入れ替えが効率良く行われ、被洗浄物の内側で被洗浄物の表面から剥離した異物が円滑に被洗浄物の外に排出される。また、超音波振動で被洗浄物から剥離できなくても、被洗浄物に対する付着力が弱まった状態の異物を、噴入された洗浄液２２が剥離させる効果も期待できる。
【００３１】
（３）超音波振動手段（超音波発振器２３）は、洗浄槽２１内に収容された被洗浄物（缶１１）の開口部１１ａに向かって振動波を発生可能な位置に設けられている。この構成によれば、超音波振動手段により振動された洗浄液２２の振動が、開口部１１ａを経て被洗浄物の内側に効率良く伝達され、異物の剥離効果が高まる。
【００３２】
（４）ノズル２４が洗浄槽２１内の洗浄液２２を洗浄槽２１からオーバーフローさせるオーバーフロー手段を構成し、ノズル２４から噴射された洗浄液２２に対応する分の洗浄液２２が洗浄槽２１からオーバーフローする。したがって、オーバーフロー手段を別に設けずに、オーバーフローを容易に行うことができる。
【００３３】
（５）すすぎゾーンＺ２は、超音波洗浄ゾーンＺ１で洗浄された後の被洗浄物（缶１１）を静水中ですすぐのではなく、噴流ノズル３１，３２，３３から噴出する洗浄水の噴流を掛け流してすすぎ、掛け流しの噴流は缶１１の開口部１１ａから缶１１内にも噴入される。したがって、一度剥離された異物が再付着した状態で乾燥ゾーンＺ３へ移動することが防止される。
【００３４】
（６）洗浄槽２１の側壁のうち、超音波発振器２３が設けられた側壁２１ａと反対側の側壁２１ｂは、その高さが他の側壁より低く、かつ、洗浄槽２１内を移動する缶１１の上面より若干高く形成されている。そして、回収槽２５は側壁２１ｂに隣接して設けられている。そのため、洗浄槽２１内の洗浄液２２が、ノズル２４から供給される洗浄液２２と効率良く置換されて回収槽２５に回収されるとともに、洗浄液２２の必要量が少なくなる。
【００３５】
実施形態は前記に限定されるものではなく、例えば、次のように具体化してもよい。
○  超音波洗浄ゾーンＺ１の洗浄槽２１からオーバーフローした洗浄液２２を回収して再循環しているが、オーバーフローした洗浄液２２を回収せずに、常に新たな洗浄液２２をノズル２４から洗浄槽２１へ噴入してもよい。
【００３６】
○  ノズル２４は、洗浄液２２を被洗浄物（缶１１）の開口部１１ａに対して垂直に噴入するのではなく、斜め方向から噴入するようにしてもよい。
○  ノズル２４は、必ずしも開口部１１ａに向かって洗浄液２２を噴入する構成に限らず、例えば、開口部１１ａと対向する側壁に向かって洗浄液２２を噴入してもよい。
【００３７】
○  図４に示すように、超音波洗浄ゾーンＺ１において、洗浄槽２１の側壁２１ａに設けられた超音波発振器２３に加えて、超音波発振器２９を洗浄槽２１の底壁に設けてもよい。底壁に設けられる超音波発振器２９はその幅が無端ベルト１６の幅と同程度であってもよい。
【００３８】
○  図４に示すように、洗浄槽２１の容積を小さくするため、超音波発振器２３が設けられた側の深さを浅くしてもよい。
○  無端ベルト１６の移動方向と平行な両側壁、即ち側壁２１ａ，２１ｂにそれぞれ超音波発振器２３を設けてもよい。
【００３９】
○  超音波洗浄ゾーンＺ１、すすぎゾーンＺ２、乾燥ゾーンＺ３へ被洗浄物を１台のベルトコンベア１２で移送（搬送）する構成に限らない。例えば、超音波洗浄ゾーンＺ１とすすぎゾーンＺ２との間は、移送手段（ベルトコンベア）は連続せず、超音波洗浄ゾーンＺ１からすすぎゾーンＺ２への被洗浄物（缶１１）の移送は、被洗浄物（缶１１）を洗浄槽２１内から把持して取り出し、すすぎゾーンＺ２の移送手段に受け渡すようにしてもよい。
【００４０】
○  超音波洗浄ゾーンＺ１、すすぎゾーンＺ２、乾燥ゾーンＺ３間における被洗浄物（缶１１）の移送にベルトコンベア１２を使用せず、ロボットアームが被洗浄物を把持して移送する構成にしてもよい。この場合、ベルトコンベアを使用するばあいに比べて、洗浄槽２１の長さを短くすることができ、洗浄液２２の必要量を少なくすることができる。
【００４１】
○  すすぎゾーンＺ２は、水平方向へ洗浄液を噴出する噴流ノズル３１、上方から下方へ洗浄液を噴出する噴流ノズル３２、下方から上方へ洗浄液を噴出する噴流ノズル３３の３種類が必須ではない。例えば、缶１１の内側を洗浄するため開口部１１ａから缶１１の内部に向かって洗浄液を噴出する噴流ノズルと、缶１１の外側を洗浄するため洗浄液を噴出する噴流ノズルが存在すればよい。
【００４２】
○  缶１１の内側を洗浄するため開口部１１ａから缶１１の内部に向かって洗浄液を噴出する噴流ノズルは、水平方向へ洗浄液を噴出する構成に限らない。例えば、超音波洗浄ゾーンＺ１からすすぎゾーンＺ２への缶１１の搬送が、無端ベルト１６によらず、ロボットアームによって缶１１を把持して搬送するとともに、すすぎゾーンＺ２においては缶１１を開口部１１ａが下向きに配置する。すすぎゾーンＺ２において、開口部１１ａが下向きに配置された状態で缶１１が洗浄される場合は、噴流ノズルは洗浄液を下方から上方へ向かって噴出する構成となる。また、すすぎゾーンＺ２において、開口部１１ａが斜め下向きに配置された状態で缶１１が洗浄される場合は、噴流ノズルは洗浄液を斜め下方から斜め上方へ向かって噴出する構成となる。  
【００４３】
○  すすぎゾーンＺ２は、シャワー洗浄槽を複数備えた構成、即ち多段でシャワー洗浄を行う構成であってもよい。この場合、各シャワー洗浄槽毎に洗浄液をろ過して循環使用する構成とするのが好ましい。
【００４４】
○  超音波発振器２３は、洗浄槽２１の側壁２１ａの内面に限らず、側壁２１ａの外面に設けてもよい。
○  超音波洗浄ゾーンＺ１、すすぎゾーンＺ２、乾燥ゾーンＺ３において、缶１１は移動しつつ超音波洗浄、すすぎ洗浄及び乾燥の各処理を受けるのではなく、所定位置に配置された状態で各処理を受けるようにしてもよい。この場合、超音波洗浄ゾーンＺ１、すすぎゾーンＺ２、乾燥ゾーンＺ３にベルトコンベアを設ける必要はなく、例えば、ロボットハンドにより、超音波洗浄ゾーンＺ１からすすぎゾーンＺ２へ、すすぎゾーンＺ２から乾燥ゾーンＺ３への缶１１の移動が行われる。
【００４５】
○  超音波洗浄ゾーンＺ１で缶１１が移動せずに洗浄処理を受ける構成の場合、図５に示すように、洗浄槽２１の内部に缶１１を底壁から離れた位置に保持する載置部３０を設け、缶１１を載置部３０に載置した状態で処理を行ってもよい。載置部３０は、缶１１を複数箇所で点接触あるいは線接触で支持する。
【００４６】
○  載置部として、洗浄槽２１の底壁内面に、缶１１を底壁内面から離れた位置に保持する複数の凸部を設けてもよい。
○  図６に示すように、ノズル２４は、缶１１の開口部１１ａの上下方向の中央部分と対向する大きさに形成されてもよい。この場合、開口部１１ａから缶１１内に噴入された洗浄液２２の流れが、図６に破線で示すように缶１１の底壁に沿って向きを変更した後、側壁に沿って移動し易い。そのため、超音波振動により缶１１の内面から剥離された異物が、缶１１の外に排出され易い。
【００４７】
○  洗浄槽２１内の洗浄液２２をオーバーフローさせるための構成で、側壁２１ｂ全体を他の側壁より低くする代わりに、一部のみ低く形成してもよい。この場合、オーバーフローした洗浄液２２を回収する回収槽２５は、側壁２１ｂ全長にわたって延びる必要はなく、側壁２１ｂの低くなった部分から洗浄液２２を回収可能な大きさに形成されていればよい。
【００４８】
○  オーバーフロー手段は、洗浄槽２１に収容可能な洗浄液２２の量をオーバーするように洗浄液２２を供給するノズル２４に限らず、例えば、洗浄槽２１を構成する側壁の高さを変更調整可能に構成し、間欠的に側壁の高さを低くすることで、洗浄液２２をオーバーフローさせる構成としてもよい。
【００４９】
○  洗浄槽２１内の洗浄液２２をオーバーフローさせるための構成として、側壁の高さを他の側壁より低くする代わりに、側壁の上部に貫通孔を形成してもよい。この場合、オーバーフローした洗浄液２２を回収する回収槽２５は、側壁の低くなった部分の全長にわたって延びる必要はなく、貫通孔からパイプを介して洗浄液２２を回収するようにしてもよい。
【００５０】
○  洗浄槽２１内の洗浄液２２をオーバーフローさせるための構成として、洗浄液２２は、一つの側壁に限らず、複数の側壁からオーバーフローする構成であってもよい。しかし、複数の側壁からオーバーフローする構成の場合は、オーバーフローした洗浄液２２を回収する設備が複雑になるため、一つの側壁からオーバーフローする構成の方が好ましい。
【００５１】
○  超音波発振器２９は、洗浄槽２１の外側に限らず、洗浄槽２１の壁を介さずに、洗浄液２２に接触する位置に設けてもよい。
○  乾燥ゾーンＺ３を特に設けずに、すすぎゾーンＺ２後の缶１１を、その使用まで保管する保管中に乾燥させてもよい。
【００５２】
○  缶１１は、有底四角筒状に限らず、例えば、有底円筒状であってもよい。
以下の技術的思想（発明）は前記実施形態から把握できる。
（１）請求項１〜請求項３のいずれか１項に記載の発明において、前記オーバーフロー手段は、前記ノズルにより前記洗浄槽内に噴入された洗浄液と同量の洗浄液をオーバーフローする。
【符号の説明】
【００５３】
１１…有底筒状の被洗浄物としての缶、１１ａ…開口部、２１…洗浄槽、２２…洗浄液、２３，２９…超音波振動手段としての超音波発振器、２４…オーバーフロー手段を構成するノズル。
【図１】
2016036785.tif 000003
【図２】
2016036785.tif 000004
【図３】
2016036785.tif 000005
【図４】
2016036785.tif 000006
【図５】
2016036785.tif 000007
【図６】
2016036785.tif 000008